(57)【特許請求の範囲】
【請求項１】
車両のステアリングコラムに取り付けて用いられるスティックスイッチにおいて、ａ）前記ステアリングコラムの受け部分に差し込み固定可能とする概ねスティック形状の部分（３）を有し、該部分の差し込み領域（３ａ）には開閉機能を受け部分に伝達するための電気接続コンタクト（２５）を具えること、及び、ｂ）開閉機能を作動するための、スティック形状部分（３）に旋回可能及び／又は変位可能として設けた作動部材（５）を有し、開閉機能を実現する機構を、スティック形状部分（３）の差し込み領域（３ａ）より外方に具えることを特徴とするスティックスイッチ。
【請求項２】
請求項１記載のスティックスイッチにおいて、作動部材（５）は、スティック形状部分（３）を少なくとも差し込み領域（３ａ）に背向する端部の外部領域において把持すると共に、開閉機能の機構を収めるためのハウジング又はハウジング部分を形成することを特徴とするスティックスイッチ。
【請求項３】
請求項１又は２に記載のスティックスイッチにおいて、スティック形状部分（３）は、差し込み領域（３ａ）に背向する端部領域で、開閉機能の機構を収めるためのハウジングに拡大することを特徴とするスティックスイッチ。
【請求項４】
請求項２又は３に記載のスティックスイッチにおいて、ハウジング内には、本来のスティックスイッチ（１）の開閉機能に加えて、別の開閉機能を統合し、該開閉機能はスティック形状部分（３）及び／又は作動部材（５）に具えた追加的な作動素子を介して解除可能としたことを特徴とするスティックスイッチ。
【請求項５】
請求項１〜４の何れか一項に記載のスティックスイッチにおいて、作動部材（５）を少なくとも２個の部分として形成し、その頭部（５ｂ）は、少なくとも他の所定の開閉機能の機構のためにハウジングを形成することを特徴とするスティックスイッチ。
【請求項６】
請求項１〜５の何れか一項に記載のスティックスイッチにおいて、スティックスイッチ（１）の開閉機能と他の開閉機能とを実現するために要するコンタクト（１５ａ，１５ｂ，１７ａ，１７ｂ）の電気接続は、少なくとも部分的にフレキシブルな結線（２７）を介して、スティックスイッチ（１）の差し込み領域（３ａ）における電気的な接続コンタクト（２５）と結合したことを特徴とするスティックスイッチ。
【請求項７】
請求項１〜６の何れか一項に記載のスティックスイッチにおいて、受け部分又は任意の他の個所に評価・制御ユニットを具え、該ユニットはスティック形状部分（３）及び／又は作動部材（５）における開閉コンタクトの制御電流及び／又は開閉ポジションを評価すると共に、所定の開閉機能を実現することを特徴とするスティックスイッチ。
【請求項８】
請求項７記載のスティックスイッチにおいて、評価・制御ユニットを受け部材に固定可能なセパレート型ハウジングに具え、該ハウジングはスティック形状部分（３）の差し込み領域（３ａ）を収めるために形成されたことを特徴とするスティックスイッチ。
【請求項９】
請求項１〜８の何れか一項に記載のスティックスイッチにおいて、差し込み領域（３ａ）に第１の係止手段（３１）を具え、該係止手段は概ね剛直の保持と、受け部材におけるスティックスイッチ（１）の係止とに供する受け部材に具えた第２の係止手段と協働することを特徴とするスティックスイッチ。
【請求項１０】
請求項１〜９の何れか一項に記載のスティックスイッチにおいて、差し込み領域（３ａ）には、受け部材におけるスティックスイッチ（１）の案内と、捻れ防止と、保持とに供する手段を具えたことを特徴とするスティックスイッチ。
【発明の詳細な説明】
【０００１】
【発明の属する技術分野】
本発明は、スティックスイッチ、特に、原動機付き車両用の転向スティックスイッチに関するものである。
【０００２】
【従来の技術】
通常、転向スティックスイッチはスイッチハウジングから構成され、このハウジングにはスティック形状の作動素子を旋回可能として配置する。ハウジング内に具える第１の係止手段は、作動レバーの端部に設けた開閉ポジションを決定する第２の係止手段と協働する。合図機能だけが所望であるならば、対応する係止曲線を介して、スイッチレバーの初期位置への復帰が実現する。このようなスイッチは、例えば、欧州特許第０６０１４６２号明細書に開示されている。
【０００３】
保管費用を削減すると共に、転向スティックスイッチの開閉機能を選択する際にフレキシビリティを高めるために、ドイツ特許出願公開第１９６４９９１２号公報に記載されたモジュール−転向スティックスイッチの開閉機能は、スイッチレバーの交換によってのみ変更可能である。
【０００４】
例えば、各種の車両型式に係る開閉機能の選択における最大限のフレキシビリティに加え、実際には、車両のステアリングコラムの領域、即ち、転向スティックスイッチの取り付け個所の領域では、極めて局限されたスペースしか転向スティックスイッチの取り付けに与えられないことが問題となる。
【０００５】
特に最近の傾向として、転向スティックスイッチには益々多くの機能が加わり、場合によっては追加的なキースイッチ又はロータリースイッチとして配置される。そのため、取り付けに要するスペースの局限が大きな問題となっている。
【０００６】
【発明が解決しようとする課題】
本発明の課題は、取り付け個所の領域において、極めて僅かな設置スペースしか要せず、開閉機能の選択に際して最大限のフレキシビリティを可能とするスティックスイッチ、特に、原動機付き車両用の転向スティックスイッチを提案することにある。
【０００７】
【課題を解決するための手段】
この課題を解決するため、本発明は、請求項１記載の事項を特徴とするものである。本発明は、スティックスイッチとスイッチに結合すべきスイッチ回路との間の電気的結合のみが取り付け個所に作成されるならば、スイッチの取り付けに要する空間の最少化が実現するとの認識に基くものである。
【０００８】
従って、本発明においては、全ての開閉機能と必要な機構及び／又は電気部品と電子部品とを、受け部材におけるスティックスイッチの取り付け領域の外側に配置する。本発明によるスティックスイッチは、概ねスティック形状とする部分を具え、該部分の差し込み領域には開閉機能を受け部材に伝達するための電気的な接続コンタクトを配置する。開閉機能を作動するために旋回可能及び／又は変位可能として設けた作動部材は、スティック形状部分と結合する。スティックスイッチを取り付けるために、差し込み領域を具えるスティック形状部分は、ステアリングコラムとする受け素子の対応する受け部分に差し込まれ、この受け部分と解除不能又は解除可能として閉鎖される。
【０００９】
このようにして、受け素子の取り付け領域に所要空間の最少化が実現するのが有利である。本発明の好適な実施形態において、作動部材は少なくとも差し込み領域に背向する端部の外部領域にスティック形状部分を把持し、開閉機能の機構を収めるためのハウジングを形成する。
【００１０】
しかし、当然のことながら、逆に例えば、差し込み領域に背向する端部領域におけるスティック形状部分を、開閉機能の機構を収めるためのハウジングに拡張することも可能である。
【００１１】
ハウジングの断面が比較的狭く量定されるか、然るべき多くの開閉機能が統合されるならば、上述の可能性を組み合わせることもできる。
【００１２】
本発明による好適な実施形態において、作動部材が具える頭部は、必要な更なる開閉機能の機構を収めるハウジング及びハウジング蓋として作用する。
【００１３】
それにより、頭部を様々に形成するだけで、対応する他の開閉機能を実現することが可能となる。
【００１４】
本発明による好適な実施形態において、スティックスイッチの電気的な開閉機能と、必要とあらば他の開閉機能とを統合するために、シートバーを作動部材に具える。
【００１５】
シートバーは、所定の最大数の開閉機能と、特定した各種の開閉機能とが実現可能となるように形成されるのが好適である。所望の開閉機能を選択するために、好適には作動部材の頭部に、適切な機構を具え、接続コンタクトをシートバーに結合しなければならない。
【００１６】
本発明による好適な実施形態において、必要となる電気的な接続部材は、少なくとも部分的にフレキシブルな結線を介して、スティックスイッチの差し込み領域における電気接続コンタクトと結合する。
【００１７】
スティックスイッチの接続コンタクトは、受け部材に差し込まれて評価・制御ユニットと結合するのが有利である。この評価・制御ユニットは、個々の開閉機構の開閉ポジションと開閉アクションとに依存して、所望の開閉機能を実現する。評価・制御ユニットは、受け部材に固定可能なセパレート型ハウジングに具えると共に、スティック形状部分の差し込み領域を収めるものとして形成することができる。
【００１８】
スティックスイッチを受け部材に取り付けるための係止手段は、スティックスイッチの閉鎖解除と容易な取り外しとを可能とするように形成できる。従って、故障時にスティックスイッチの交換が容易であり、追加的な開閉機能の付加装備も容易であるのが有利である。
【００１９】
本発明による別の実施形態については、従属請求項に記載されている。
【００２０】
【発明の実施の形態】
以下、本発明を図示の好適な実施形態について更に具体的に説明する。
【００２１】
図１に示したスティックスイッチ１は、作動部材５に嵌入するスティック形状部分３を有する。作動部材５は、スティック形状部分３を包囲すると共に、全ての開閉機能を収めるためのハウジングを形成する。
【００２２】
作動部材５を構成する第１部分５ａには、特に、係止素子７を固定して配置する。図２に示すように、図示した係止素子７は唯一の係止ポジションしか有しない。従って、図示のスティックスイッチでは、作動部材５を介して合図機能だけが実現可能である。係止ポジションを限定するために、ばね９によって当接した係止タペット１１が係止素子７に嵌入する。
【００２３】
作動部材５が図２に示す平面に対して垂直方向に旋回すると、スティック形状部分３に具えた舌片は、スティック形状部分３と作動部材５との間における相対運動を案内することに供する。旋回軸線は、詳述しない機構により、係止タペット１１のポジション領域において、作動部材５に沿って限定される。この方向における旋回をブロックしないために、図４に示すように、スティック形状部分３が突出する作動部材５における嵌入開口１４は、回転軸線に対して垂直方向に対応する遊びを具える必要がある。
【００２４】
この方向に作動部材５が旋回すると、それぞれに各コンタクト１５ａ，１５ｂは、各担体部分１７ａ，１７ｂに示した詳述しないカウンターコンタクトに対して変位する。その結果、コンタクトの対応する開閉が実現する。
【００２５】
これに従って、作動部材５が図４に示す平面に対して垂直方向に旋回すると、他の各コンタクト１９ａ，１９ｂは、他の各支持部材２１ａ，２１ｂ上に具えるカウンターコンタクトに対して変位し、開閉機能が対応して解除される。その際、回転軸線は各舌片１３によって限定され、それらの舌片は本目的のために、スティック形状部分３の長手方向軸線に対して僅かに傾斜して延在する外面を有する。
【００２６】
作動部材５の外側端部には、開閉機能の配線に供するシートバー２３を具える。このシートバーに全ての開閉コンタクトが接触するのは好適である。
【００２７】
このことは、他の開閉機能にも該当し、それらの機能はこの領域で作動部材５に一体化することが可能である。ここでは、例えば、追加的なセパレート型キースイッチ又はロータリースイッチとすることができる。
【００２８】
この領域は、作動部材５の頭部５ｂによってカバーされ、同時に、頭部５ｂは追加的なスイッチの受け部材及び取り付け部材として供する。
【００２９】
あらゆるスイッチ及び開閉機能の全ての電気的コンタクトを中央に統合するのが好適であり、それにより、単一又は複数の電気的な結線によって、シートバー２３とスティックスイッチの接続コンタクト２５との間に簡便な接触が可能となることが有利である。
【００３０】
図４に示すように、例えば、分離した２個の導電帯２７を具えることが可能であり、これらの導電帯は単一又は複数のプラグ２９を介してシートバー２３と結合することができる。接続コンタクト２５は、傾斜側領域のスティック形状部分３で片側だけテーパ形状とする差し込み領域３ａ内に形成される。接続コンタクト２５は二つのグループに統合され、軸線方向にオフセットした各グループは、片方の導電帯２７でシートバー２３と結合する。
【００３１】
接続コンタクトはループコンタクトとして形成される。従って、スティックスイッチ１の差し込み領域３を受入素子（図示せず）に挿入すると、対応するカウンターコンタクトとの確実な接触が実現する。
【００３２】
図１と図３とに示すように、差し込み領域３ａには、側方に延在する案内リブ３１を具えることができる。これらの案内リブは、一方において、スティックスイッチを受け部分に挿入する際の案内に供すると共に、他方では捻れ防止にも供する。同時に、案内リブ３１は、スティックスイッチを受け部材内に閉鎖即ち保持することに供する。例えば、対応する支柱は案内リブ３１の後方エッジの後ろに嵌合する。
【００３３】
従って、本発明のスティックスイッチにおいては、差し込み領域における所要空間及び受け部材における取り付け領域の最少化が実現する。更に、スティックスイッチは、極めて容易な取り付けを保証すると共に、必要とあらば、故障時の交換又は追加的な開閉機能の付加的装備に要する取り外しを確実に可能とする。
【００３４】
スティックスイッチの本来の開閉機能（作動部材の作動によって限定される）に対する全ての追加的な開閉機能を作動部材５の頭部領域内に具えることにより、モジュール構造の利点が生じ、追加的な開閉機能を変更するためには、対応する機構を頭部に統合するか、必要とあらば頭部を変更するだけで良い。
【００３５】
スティックスイッチは、図示していない方法で形成され、スティック形状部分の差し込み領域は、セパレート型ハウジングの対応する受け部材に嵌入し、このハウジングは、例えば、ステアリングコラムとする受け部材に固定可能である。ハウジングは、対応する需用体又は別の中央制御ユニットと結合するか、母線システムの接続に供する結合のために接続コンタクトを具える。このハウジング内には、同時に、スティックスイッチに具えた付加的スイッチの信号を含むスティックスイッチ信号を処理・変換するために必要なエレクトロニクスを具えることができる。
【図面の簡単な説明】
【図１】図１は、本発明によるスティックスイッチを示す側面図である。
【図２】図２は、図１に示したスティックスイッチをＡ−Ａ線に沿って破断して示す縦断面図である。
【図３】図３は、図１に対して垂直方向から示す側面図である。
【図４】図４は、図３におけるＢ−Ｂ線に沿って破断して示す別の縦断面図である。
【符号の説明】
１  スティックスイッチ
３  スティック形状部分
３ａ  差し込み領域
５  作動部材
５ａ  第１部分
５ｂ  頭部
７  係止素子
９  ばね
１１  係止タペット
１３  タップ
１４  嵌入開口
１５ａ，１５ｂ  コンタクト
１７ａ，１７ｂ  担体部分
１９ａ，１９ｂ  他のコンタクト
２１ａ，２１ｂ  支持部材
２３  シートバー
２５  接続コンタクト
２７  結線
２９  プラグ
３１  案内リブ
【図１】
0003623447.tif 000002
【図２】
0003623447.tif 000003
【図３】
0003623447.tif 000004
【図４】
0003623447.tif 000005